(57)【要約】【課題】水を含む液体の成分の濃度を赤外線の領域でリアルタイムに測定できるようにし、しかも、その測定精度を高める。【解決手段】成分測定用器具３０は、液体が流通する流通管１８ａ、１８ｂに接続される流路３４を形成する流路形成部３１を備えている。流路形成部３１には、赤外線が照射される赤外線照射部Ｃが設けられている。流路３４の赤外線照射部Ｃに対応する部位の赤外線照射方向の断面寸法ｄ１は、流通管１８ａ、１８ｂの内径ｄ２よりも短く設定されている。流路３４には、液体の一部を、流路３４の赤外線照射部Ｃに対応する部位を迂回させて流すバイパス部３４ｄが設けられている。【選択図】図３
2012237758.tif 000002
【特許請求の範囲】
【請求項１】
水を含む液体に赤外線を照射してその吸収度合いを解析することによって液体中の成分の濃度を測定する際に用いられる成分測定用器具であって、
液体が流通する流通管に接続される流路を形成する流路形成部を備え、
上記流路形成部には、赤外線透過材で構成され、赤外線が照射される赤外線照射部と、上記流路の赤外線照射部に対応する部位の赤外線照射方向の断面寸法を上記流通管の内径よりも短く設定する寸法設定部と、液体の一部を上記流路の赤外線照射部に対応する部位を迂回させて流すバイパス部とが設けられ、
上記寸法設定部は、上記流路内に配置され、該流路の上流側から下流側へ向けて延びる棒状部材で構成され、
上記流路における上記寸法設定部の側方には、上記棒状部材よりも大径で、かつ、液体の流れ方向に延びる筒部材が配置され、該筒部材の内部に上記バイパス部が形成されていることを特徴とする成分測定用器具。
【請求項２】
請求項１に記載の成分測定用器具において、
流路の赤外線照射部に対応する部位の赤外線照射方向の断面寸法が０．１ｍｍ以上２．０ｍｍ以下に設定されていることを特徴とする成分測定用器具。
【請求項３】
請求項１または２に記載の成分測定用器具において、
血液透析装置の透析廃液が流通する流通管に接続されることを特徴とする成分測定用器具。
【請求項４】
請求項１または２に記載の成分測定用器具において、
腹膜透析装置の透析廃液が流通する流通管に接続されることを特徴とする成分測定用器具。
【請求項５】
請求項１または２に記載された成分測定用器具が、透析廃液が流通する流通管に接続されていることを特徴とする血液透析装置。
【発明の詳細な説明】
【技術分野】
【０００１】
本発明は、水を含む液体に混入した各種成分の濃度を測定する際に用いられる成分測定用器具及びその成分測定用器具を備えた血液透析装置に関する。
【背景技術】
【０００２】
従来より、例えば、特許文献１に開示されているように、腎不全の患者に対しては、血液透析装置を用いた血液透析治療が行われている。血液透析装置は、患者から血液を採取して戻す血液回路と、血液回路の中途部に設けられたダイアライザーと、ダイアライザーに透析液を供給するための透析液回路とを備えている。そして、血液回路により患者から採取された血液はダイアライザーに流入して患者に戻される体外循環が行われ、この体外循環の間に、ダイアライザーに供給されている透析液によって浄化処理されるとともに、除水処理されるようになっている。
【０００３】
上記血液透析装置のダイアライザーから排出される透析液（透析廃液）には、患者の血液中に存在していた老廃物等が含まれており、この老廃物等の濃度は透析中に変化する。したがって、特許文献２に開示されているように、透析廃液に含まれる老廃物等の濃度を測定することで、患者の透析中の状態を把握することが可能になるので、老廃物等の濃度変化を得ることは透析治療を実施する上で非常に有用である。特許文献２の血液透析装置は、透析廃液に酸化剤を注入し、この酸化剤と透析廃液中の老廃物等とを反応させ、そのときに発生する熱による透析廃液の温度変化を検出し、この温度変化に基づいて老廃物等の濃度を測定するように構成されている。
【先行技術文献】
【特許文献】
【０００４】
【特許文献１】特開２００７−１３０３００号公報
【特許文献２】特開２００７−１９０２５０号公報
【発明の概要】
【発明が解決しようとする課題】
【０００５】
しかしながら、透析廃液に含まれる老廃物等の濃度を測定する場合に、特許文献２のように透析廃液に酸化剤を注入して温度変化を測定するようにすると、酸化剤を注入してから透析廃液の温度変化を検出するまでには時間を要するので、老廃物等の濃度をリアルタイムに得ることが難しい。
【０００６】
そこで、例えば、透析廃液が流通する流通管の途中にフローセル（成分測定用器具）を設け、この成分測定用器具に光を照射して透析廃液の吸収度合い（吸光度）を検出することにより、老廃物等の濃度をリアルタイムに測定することが考えられる。吸光度を検出する場合、透析廃液の大部分を占める水に吸収される量が少ない紫外線の領域で測定するのが好ましいが、紫外線は照射対象物を劣化させる虞れがあるので成分測定用器具に使用できる材料が限定され、また、紫外線は、人体の目に誤って入ると悪影響を及ぼす虞れもある。これらのことを回避するために、赤外線の領域で吸光度を検出するようにした場合、上述の如く赤外線は紫外線に比べて水に吸収されやすいため、照射した赤外線の殆どが水に吸収されてしまい、成分の濃度が吸光度という形で現れにくいという問題がある。
【０００７】
また、成分測定用器具の測定用流路において透析廃液の流れが滞ったり、透析廃液にキャビテーション現象が起こると、吸光度を精度良く検出できないので、測定流路の断面積を十分に確保して透析廃液をスムーズに流したいという要求がある。
【０００８】
本発明は斯かる点に鑑みてなされたものであり、その目的とするところは、水を含む液体の成分の濃度を赤外線の領域でリアルタイムに測定できるようにし、しかも、その測定精度を高めることにある。
【課題を解決するための手段】
【０００９】
第１の発明は、上記目的を達成するために、本発明では、成分測定用器具の流路における赤外線照射部に対応する部位の赤外線照射方向の断面寸法を短くするとともに、液体の一部を、流路の赤外線照射部に対応する部位を迂回させて流すようにした。
【００１０】
具体的には、第１の発明では、水を含む液体に赤外線を照射してその吸収度合いを解析することによって液体中の成分の濃度を測定する際に用いられる成分測定用器具であって、液体が流通する流通管に接続される流路を形成する流路形成部を備え、上記流路形成部には、赤外線透過材で構成され、赤外線が照射される赤外線照射部と、上記流路の赤外線照射部に対応する部位の赤外線照射方向の断面寸法を上記流通管の内径よりも短く設定する寸法設定部と、液体の一部を上記流路の赤外線照射部に対応する部位を迂回させて流すバイパス部とが設けられ、上記寸法設定部は、上記流路内に配置され、該流路の上流側から下流側へ向けて延びる棒状部材で構成され、上記流路における上記寸法設定部の側方には、上記棒状部材よりも大径で、かつ、液体の流れ方向に延びる筒部材が配置され、該筒部材の内部に上記バイパス部が形成されている構成とする。
【００１１】
この構成によれば、液体が流通管から流路形成部の流路に流れ込むと、流路の赤外線照射部に対応する部位を流れる。赤外線照射部に照射されている赤外線は、流路における赤外線照射部に対応する部位を流れる液体を通過して、照射側と反対側で受光される。これにより、液体による赤外線の吸収度合いが得られる。このとき、流路における赤外線照射部に対応する部位の赤外線照射方向の断面寸法が、流通管の内径よりも短くなっているので、液体の成分である水によって赤外線が吸収されてしまう量を抑制することが可能になる。その結果、液体中の水以外の成分に関する赤外線の吸収度合いを検出することが可能になり、この吸収度合いを解析することにより、液体の成分の濃度がリアルタイムで測定されることになる。
【００１２】
また、流路形成部にはバイパス部が設けられていて、液体の一部はバイパス部を流れることになる。これにより、上記したように流路における赤外線照射部に対応する部位の赤外線照射方向の断面寸法を短くしても、トータルとしての流路断面積は十分に確保することが可能になり、流路内において液体の流れの滞りや、キャビテーション現象が起こりにくくなる。
【００１３】
第２の発明では、第１の発明において、流路の赤外線照射部に対応する部位の赤外線照射方向の断面寸法が０．１ｍｍ以上２．０ｍｍ以下に設定されている構成とする。
【００１４】
この構成によれば、赤外線の吸収度合いを測定するのに必要な液体の流量を確保しながら、その液体の成分である水により赤外線が吸収されてしまう量を十分に少なくすることが可能になる。
【００１５】
第３の発明では、第１または２の発明において、血液透析装置の透析廃液が流通する流通管に接続される構成とする。
【００１６】
第４の発明では、第１または２の発明において、腹膜透析装置の透析廃液が流通する流通管に接続される構成とする。
【００１７】
第５の発明では、血液透析装置において、第１または２にかかる成分測定用器具が、透析廃液が流通する流通管に接続されている構成とする。
【発明の効果】
【００１８】
第１の発明によれば、水を含む液体が流れる流通管に接続される流路を形成する流路形成部に、赤外線が照射される赤外線照射部と、流路の赤外線照射部に対応する部位の赤外線照射方向の断面寸法を流通管の内径よりも短くする寸法設定部とを設けたので、液体中の水によって赤外線が吸収されてしまう量を抑制でき、液体中の水以外の成分に関する赤外線の吸収度合いを検出できる。さらに、流路形成部にバイパス部を設けて、液体の一部を、流路の赤外線照射部に対応する部位を迂回させて流すようにしたので、液体の流れの滞りやキャビテーション現象を起こりにくくすることができる。これらのことにより、液体の成分の濃度をリアルタイムに、かつ、精度良く測定することができる。
【００１９】
第２の発明によれば、流路の赤外線照射部に対応する部位の赤外線照射方向の断面寸法を０．１ｍｍ以上２．０ｍｍ以下に設定したことで、赤外線の吸収度合いを測定するのに必要な液体の流量を確保しながら、赤外線が水に吸収されてしまう量を十分に少なくすることができ、より正確な測定を行うことができる。
【００２０】
第３〜５の発明によれば、透析廃液中の老廃物等の濃度をリアルタイムに、かつ、精度良く測定することができる。
【図面の簡単な説明】
【００２１】
【図１】本発明の実施形態に係る血液透析装置の使用状態を説明する図である。
【図２】実施形態１に係る成分測定用器具の斜視図である。
【図３】図２のIII−III線断面図である。
【図４】図３のIV−IV線断面図である。
【図５】実施形態２に係る成分測定用器具の側面図である。
【図６】実施形態２に係る成分測定用器具の分解斜視図である。
【図７】実施形態２に係る成分測定用器具を分解した状態の側面図である。
【図８】図５のVIII−VIII線断面図である。
【図９】実施形態２に係る成分測定用器具の縦面図である。
【図１０】実施形態３に係る成分測定装置の斜視図である。
【図１１】実施形態３に係る成分測定装置の横断面図である。
【図１２】図１０のXII−XII線断面図である。
【図１３】実施形態３に係る成分測定装置の斜視図である。
【図１４】図１３のXIV−XIV線断面図である。
【発明を実施するための形態】
【００２２】
に基づいて詳細に説明する。尚、以下の好ましい実施形態の説明は、本質的に例示に過ぎず、本発明、その適用物或いはその用途を制限することを意図するものではない。
【００２３】
《発明の実施形態１》
図１は、本発明の実施形態１に係る成分測定用器具３０を備えた血液透析装置１の使用状態を示す図である。血液透析装置１は、血液透析処理実働部２と、操作表示部３を有する制御部４とを備えている。これらのうち、血液透析処理実働部２は、実際に血液透析を行う部分である。また、制御部４は、コンピュータの情報処理部を中心として構成されており、血液透析処理実働部２を制御するものである。また、操作表示部３は、医療従事者によるデータの入力ボタン２８と、各種情報及び入力されたデータを表示するための画面２９とを有している。
【００２４】
血液透析処理実働部２は、血液透析の中心となるダイアライザー（血液処理器）１０と、ダイアライザー１０に接続される動脈側血液回路部１１及び静脈側血液回路部１２と、血液ポンプ１３と、ダイアライザー１０に透析液を供給する透析液回路１５とを備えている。動脈側血液回路部１１と、静脈側血液回路部１２と、血液ポンプ１３とで血液回路１６が構成されている。
【００２５】
ダイアライザー１０は、筒状のケース内に複数の中空糸（図示せず）が収容されてなるものである。これら中空糸の内部に患者の血液が流れ、中空糸外とケース内との空間に透析液が流れるようになっている。ダイアライザー１０のケースには、図示しないが、中空糸の内部に連通する血液流入ポート及び血液流出ポートと、中空糸外とケース内との空間に連通する透析液流入ポート及び透析液流出ポートとが形成されている。
【００２６】
動脈側血液回路部１１は、動脈側穿刺針１１ａを有し、ダイアライザー１０の血液流入ポートに接続されている。動脈側血液回路部１１の中途部には、動脈側ドリップチャンバー１１ｂとが設けられている。一方、静脈側血液回路部１２は、静脈側穿刺針１２ａを有し、ダイアライザー１０の血液流出ポートに接続されている。静脈側血液回路部１２の中途部には、静脈側ドリップチャンバー１２ｂが設けられている。
【００２７】
血液ポンプ１３は、動脈側血液回路部１１を構成する柔軟なチューブをしごくことによって血液を動脈側血液回路部１１から静脈側血液回路部１２へ送るように構成された、いわゆるしごき型のポンプである。血液ポンプ１３のモーターの回転速度を変更することによって、血液回路１６を流れる血液の流量が調節されるようになっている。尚、血液ポンプ１３は、しごき型のものに限られるものではなく、他の形式のポンプを用いるようにしてもよい。
【００２８】
透析液回路１５は、透析液供給装置（図示せず）に接続される供給側回路部１７と、排出側回路部１８と、除水ポンプ１９と、供給弁２０とを備えている。供給側回路部１７は、ダイアライザー１０の透析液流入ポートに接続されている。排出側回路部１８は、ダイアライザー１０の透析液流出ポートに接続されている。供給弁２０は、供給側回路部１７に設けられており、該供給側回路部１７を流れる透析液の流量を調節するためのものである。
【００２９】
また、除水ポンプ１９は、排出側回路部１８に設けられており、血液から水分を除去するためのものである。この除水ポンプ１９を駆動することで、ダイアライザー１０に流入する透析液の量よりも排出される液体の量が多くなり、これにより、中空糸を流れる血液から水分が除去されるようになっている。この除水ポンプ１９による徐水量は、除水ポンプ１９のモーターの回転速度を変更することによって調節できるようになっている。
【００３０】
上記排出側回路１８には、血液中の老廃物等が混入した透析廃液が流通するようになっている。この流通管１８ａ、１８ｂの中途部に成分測定用器具３０が設けられている。尚、成分測定用器具３０は、排出側回路部１８であればどこに設けてもよく、例えば、除水ポンプ１９の下流側に設けてもよい。
【００３１】
成分測定用器具３０は、赤外分光光度計（図示せず）のフローセルとして機能するものである。赤外分光光度計は、ＬＥＤ等からなる発光素子Ａ（図３に仮想線で示す）と、フォトトランジスター等からなる受光素子Ｂ（同図に仮想線で示す）とを備え、受光素子Ｂで検出された吸光度を解析することで、透析廃液中の老廃物等（成分）の濃度を得ることができるように構成された周知のものである。発光素子Ａからは、近赤外線が照射されるようになっている。この近赤外線の波長は、８００ｎｍから２５００ｎｍである。赤外分光光度計から出力された信号は、制御部４に入力されて所定の処理が施された後に、老廃物等の濃度変化（相対変化）が分かるように、グラフ形式で画面２９に表示されるようになっている。よって、医療従事者は、透析廃液中の老廃物等の濃度変化を見ながら、各種設定を変更することが可能である。
【００３２】
図２に示すように、成分測定用器具３０は、厚肉板状の流路形成部３１と、流路形成部３１の両端面から突出する流入管部３２及び流出管部３３とを備えている。これら流路形成部３０、流入管部３１及び流出管部３２は、発光素子Ａから照射される近赤外線が透過する無色透明な樹脂材で構成されている。流路形成部３０は、例えば、石英、ガラス、ポリカーボネート等で構成してもよい。
【００３３】
流路形成部３１は、平面視で略正方形をなしている。図３に示すように、流路形成部３１の厚み方向の一方側（図３における上側）に赤外分光光度計の発光素子Ａが配置され、他方側（同図の下側）に受光素子Ｂが配置されている。
【００３４】
図４にも示すように、流路形成部３１の内部には、流入管部３２側から流出管部３３側に亘って透析廃液が流通する流路３４が形成されている。流路３４の上流端及び下流端は、流路形成部３０の両端面の幅方向中央部に開口している。流路３４の上流端開口に、流入管部３２が接続され、下流端開口に流出管部３３が接続されている。流入管部３２及び流出管部３３の断面は、互いに同じ円形とされている。流入管部３２は、排出側回路１８の上流側の流通管１８ａに差し込まれた状態で接続され、流出管部３３は、排出側回路１８の下流側の流通管１８ｂに差し込まれた状態で接続されている。流通管１８ａ、１８ｂの断面は、円形とされている。
【００３５】
流路３４は、上流部３４ａと、中間部３４ｂと、下流部３４ｃとで構成されている。流路３４の上流部３４ａの断面は、流入管部３２の断面と同じ円形状とされている。また、流路３４の下流部３４ｃの断面は、流出管部３３の断面と同じ円形状とされている。流路３４の中間部３４ｂは、扁平断面を有しており、中間部３４ｂの幅方向（図４の上下方向）の寸法は、上流部３４ａや下流部３４ｃの幅方向の寸法よりも広く設定されている。中間部３４ｂの両側縁部は、中間部３４ｂの中心部を中心とした円弧状に湾曲している。図３に示すように、流路３４の中間部３４ｂにおける受光素子Ｂ側の面は、平坦面で構成されている。一方、流路３４の中間部３４ｂにおける発光素子Ａ側の面には、受光素子Ｂ側、即ち、流路３４内へ向けて突出する凸部（寸法設定部）３５が形成されている。図４に仮想線で示すように、凸部３５の周縁部は円形とされている。また、凸部３５の周縁部は、中間部３４ｂの両縁部よりも内方に離れて位置している。
【００３６】
また、凸部３５は、中心部が最も突出高さが高くなるように形成されている。凸部３５の表面は、受光素子Ｂ側へ向けて湾曲しており、凸レンズ形状となっている。発光素子Ａは、凸部３５が形成された領域に対応するように配置されている。よって、流路形成部３０の凸部３５が形成された領域により、本発明の赤外線照射部Ｃが構成されている。また、受光素子Ｂも凸部３５が形成された領域に対応して配置されるようになっている。
【００３７】
凸部３５の突出高さは、中間部３４ｂの赤外線照射部Ｃに対応する部位の赤外線照射方向の断面寸法ｄ１が流通管１８ａ、１８ｂの内径ｄ２よりも短くなるように設定されている。この実施形態では、凸部３５の突出高さが最も高いところで、中間部３４ｂの赤外線照射方向の断面寸法ｄ１が０．１ｍｍ以上２．０ｍｍ以下となるように設定されている。その理由は、断面寸法ｄ１が０．１ｍｍよりも短いと、測定部位における透析廃液の流量が十分でなくなって正確な測定が難しくなり、また、断面寸法ｄ１が２．０ｍｍよりも長いと、透析廃液の主成分である水に吸収される赤外線量が多くなって測定が困難になるからである。
【００３８】
また、図４に示すように、中間部３４ｂの周縁部と凸部３５の周縁部との間には、透析廃液の一部が、流路３４の赤外線照射部Ｃに対応する部位を迂回して流れるバイパス部３４ｄ、３４ｄが形成されている。バイパス部３４ｄ、３４ｄが形成されていることにより、流路３４の中間部３４ｂの断面積は、上流部３４ａの断面積と同程度か、それ以上に確保されている。
【００３９】
次に、上記のように構成された成分測定用器具３０を使用する場合について説明する。透析廃液は、排出側回路１８の上流側の流通管１８ａから流入管部３２を通って、流路形成部３１内の流路３４の上流部３４ａに流れ込む。この上流部３４ａを流れた透析廃液は、流路３４の中間部３４ｂに流れ込み、一部が、図３に矢印Ｙで示すように凸部３５と受光素子Ｂ側の面との間を流れ、残りが、図４に矢印Ｘで示すようにバイパス部３４ｄ、３４ｄを流れて下流部３４ｃに流れ込み、流出管部３３を通って排出側回路１８の下流側の流通管１８ｂへ流れる。
【００４０】
このとき、図３に示すように、発光素子Ａから赤外線照射部Ｃに照射された赤外線は、中間部３４ｂの凸部３５と受光素子Ｂ側の面との間を流れる透析廃液を透過して受光素子Ｂで受光される。流路３４における赤外線照射部Ｃに対応する部位の赤外線照射方向の断面寸法ｄ１が、流通管１８ａ、１８ｂの内径ｄ２よりも短いので、赤外線が透析廃液を通過する距離が短くなる。これにより、赤外線が透析廃液の主成分である水に吸収される量を抑制することが可能になる。その結果、老廃物等の濃度に関する吸光度が得られる。
【００４１】
また、透析廃液がバイパス部３４ｄ、３４ｄを流れるので、流路３４内において透析廃液の滞りや、キャビテーション現象が起こりにくくなる。
【００４２】
したがって、この実施形態１に係る成分測定用器具３０によれば、流路３４における赤外線照射部Ｃに対応する部位の赤外線照射方向の断面寸法ｄ１を流通管１８ａ、１８ｂの内径ｄ２よりも短くしたので、透析廃液の主成分である水により赤外線が吸収されてしまう量を抑制でき、水以外の成分に関する吸光度を得ることができる。さらに、透析廃液をバイパス部３４ｄ、３４ｄに流すことで、流路３４内において液体の滞りや、キャビテーションが起こりにくくなる。よって、透析廃液中の老廃物等の濃度をリアルタイムに、かつ、精度良く測定できる。
【００４３】
《発明の実施形態２》
図５〜図９は、本発明の実施形態２に係る成分測定用器具３０を示すものである。この実施形態２の成分測定用器具３０の流路形成部３１は、図５に示すように、発光素子Ａ側に位置する第１部材４０と、受光素子Ｂ側に位置する第２部材４１とを組み合わせて構成されている。
【００４４】
第２部材４１は、厚肉な矩形板状をなしており、両端面に流入管部３２及び流出管部３３が設けられている。図８及び図９に示すように、第２部材４１には、流路３４の上流部３４ａ及び下流部３４ｃが形成されるとともに、これら上流部３４ａと下流部３４ｃとの間に、流路３４の中間部３４ｂを構成するための凹部４１ａが第１部材４０側に開放するように形成されている。凹部４１ａは、円形断面を有しており、その底面は略平坦に形成されている。第２部材４１の４つの角部には、それぞれ、発光素子Ａ側から受光素子Ｂ側へ延びる貫通孔４１ｂ、４１ｂ、…が形成されている。図７に示すように、第２部材４１の発光素子Ａ側の面には、凹部４１ａの開口を囲むように延びる環状溝４１ｃが形成されている。図６に示すように、この環状溝４１ｃには、Ｏリング４２が嵌め込まれている。
【００４５】
第１部材４０は、第２部材４１の発光素子Ａ側の面に沿って延びる矩形の板部４０ａと、板部４０ａの受光素子Ｂ側の面から突出する凸部（寸法設定部）４０ｂとを備えている。凸部４０ｂは、円形断面を有しており、第２部材４１の凹部４１ａに挿入されるようになっている。凸部４０ｂの外径は、全体として第２部材４１の凹部４１ａの内径よりも小さく設定され、突出方向先端側に行くほど小さくなっている。
【００４６】
発光素子Ａは、凸部４０ｂが形成された領域に対応するように配置されている。つまり、凸部４０ｂが形成された領域により、本発明の赤外線照射部Ｃ（図５にのみ示す）が構成されていて、また、受光素子Ｂも凸部４０ｂが形成された領域に対応して配置されるようになっている。
【００４７】
図９に示すように、凸部４０ｂの先端面は、凹部４１ａの底面と略平行に延びている。凸部４０ｂの突出高さは、その先端面が凹部４１ａの底面から所定距離離れるように設定されている。この所定距離は、流路３４の赤外線照射部Ｃに対応する部位の赤外線照射方向の断面寸法ｄ１であり、流通管１８ａ、１８ａの内径ｄ２よりも短く、例えば、０．１ｍｍ以上２．０ｍｍ以下である。第１部材４０の板部４０ａには、第２部材４１の貫通孔４１ｂ、４１ｂ、…と一致する貫通孔４０ｃ、４０ｃ、…が形成されている。これら貫通孔４０ｃ、４１ｃには、ネジ４３がそれぞれ挿通するようになっており、貫通孔４０ｃ、４１ｂに挿通したネジ４３にナット４４を螺合させることで、第１部材４０と第２部材４１とが一体化するようになっている。
【００４８】
図８に示すように、凹部４１ａの周面と凸部４０ａの周面との間には、透析廃液の一部が流路３４の赤外線照射部Ｃに対応する部位を迂回して流れるバイパス部３４ｄ、３４ｄが形成されている。
【００４９】
次に、実施形態２に係る成分測定用器具３０を使用する場合について説明する。流路３４に流れ込んだ透析廃液は、図９に矢印Ｙで示すように凸部４０ｂの先端面と凹部４１ａの底面との間を流れるとともに、図８に矢印Ｘで示すようにバイパス部３４ｄを流れる。このとき、流路３４の赤外線照射部Ｃに対応する部位の赤外線照射方向の断面寸法ｄ１が流通管１８ａ、１８ａの内径ｄ２よりも短く設定されているので、赤外線が透析廃液の主成分である水に吸収されてしまう量を抑制することが可能である。これにより、透析廃液中の老廃物等の濃度に関する吸光度が得られる。
【００５０】
また、透析廃液は、バイパス部３４ｄ、３４ｄを流れるので、流路３４内において透析廃液の滞りや、キャビテーション現象が起こりにくくなる。
【００５１】
したがって、この実施形態２に係る成分測定用器具３０によれば、流路３４における赤外線照射部Ｃに対応する部位の赤外線照射方向の断面寸法ｄ１を流通管１８ａ、１８ｂの内径よりも短くしたので、水以外の成分に関する吸光度を得ることができる。透析廃液の一部をバイパス部３４ｄ、３４ｄに流すことで、流路３４内において液体の滞りや、キャビテーションが起こりにくくなる。よって、透析廃液中の老廃物等の濃度をリアルタイムに、かつ、精度良く測定できる。
【００５２】
《発明の実施形態３》
図１０〜図１２は、本発明の実施形態３に係る成分測定用器具３０を示すものである。この実施形態３の成分測定用器具３０の流路３４には、図１１に示すように、幅方向中央部に、寸法設定部としての４本の円柱部材（棒状部材）５０、５０、…が配置されている。円柱部材５０、５０、…は、中実で、軸線が流路３４の上流側から下流側へ向けて延びるように配置されている。円柱部材５０は、近赤外線が透過する無色透明な樹脂材で構成されている。円柱部材５０は、例えば、石英、ガラス、ポリカーボネート等で構成してもよい。
【００５３】
図１２に示すように、各円柱部材５０の外径Ｓは、流路３４の発光素子Ａ側の面と受光素子Ｂ側の面との離間寸法Ｌよりも短く設定されている。円柱部材５０は、流路３４の受光素子Ｂ側の面に接するように配置されて固定されている。円柱部材５０と流路３４の発光素子Ａ側の面とは所定距離離れている。この所定距離は、流路３４の赤外線照射部Ｃに対応する部位の赤外線照射方向の断面寸法ｄ１であり、流通管１８ａ、１８ａの内径ｄ２よりも短く、例えば、０．１ｍｍ以上２．０ｍｍ以下である。
【００５４】
また、図１１に示すように、流路３４には、幅方向両側に、円筒部材５１が２本づつ配置されている。これら円筒部材５０、５０、…は、軸線が流路３４の上流側から下流側に向けて延びるように配置されており、両端が開放されている。円筒部材５０の軸方向の長さは、流路３４の長さよりも短く設定され、円筒部材５０の両端開口は、流路３４の内面から離れている。円筒部材５０の外径は、流路３４の発光素子Ａ側の面と、受光素子Ｂ側の面との離間距離Ｌ（図１２に示す）と同じに設定されている。円筒部材５０の外周面は、流路３４の発光素子Ａ側及び受光素子Ｂ側の面に接した状態で固定されている。円筒部材５１の内部にバイパス部３４ｄが形成されている。
【００５５】
次に、上記のように構成された成分測定用器具３０を使用する場合について説明する。透析廃液は、排出側回路１８の上流側の流通管１８ａから流入管部３２を通って、流路形成部３１内の流路３４に流れ込む。この透析廃液は、一部が、図１２に矢印Ｙで示すように円柱部材５０と発光素子Ａ側の面との間を流れ、残りが、図１１に矢印Ｘで示すように、円筒部材５１内のバイパス部３４ｄを流れた後、流出管部３３を通って下流側の流通管１８ｂへ流れる。
【００５６】
このとき、流路３４の赤外線照射部Ｃに対応する部位の赤外線照射方向の断面寸法ｄ１が、流通管１８ａ、１８ｂの内径ｄ２よりも短いので、赤外線が透析廃液の主成分である水に吸収されてしまう量を抑制することが可能であり、これにより、透析廃液中の老廃物等の濃度に関する吸光度が得られる。
【００５７】
また、透析廃液は、円筒部材５１内のバイパス部３４ｄを流れるので、流路３４内において透析廃液の滞りや、キャビテーション現象が起こりにくくなる。
【００５８】
したがって、この実施形態３に係る成分測定用器具３０によれば、流路形成部３０に円柱部材５０を配置して、流路３４の赤外線照射部Ｃに対応する部位の赤外線照射方向の断面寸法ｄ１を流通管１８ａ、１８ｂの内径ｄ２よりも短くしたので、実施形態１と同様に、老廃物に関する吸光度を得ることができる。さらに、透析廃液をバイパス部３４ｄに流すことで、流路３４内において液体の滞りや、キャビテーションが起こりにくくなる。よって、透析廃液中の老廃物の成分の濃度をリアルタイムに、かつ、精度良く測定できる。
【００５９】
尚、円柱部材５０の代わりに角柱部材を配置するようにしてもよいし、また、円筒部材５１の代わりに角筒部材を配置するようにしてもよい。
【００６０】
《発明の実施形態４》
図１３及び図１４は、本発明の実施形態４に係る成分測定用器具３０を示すものである。この実施形態４の成分測定用器具３０の流路３４には、複数のビーズ状部材６０、６０、…が配置されている。ビーズ状部材６０は、近赤外線が透過する無色透明な樹脂材を球状に成形してなるものであり、図１４に示すように、流路３４の発光素子Ａ側と受光素子Ｂ側とに２段に重ねて配置され、これら重なったビーズ状部材６０、６０同士は接触している。発光素子Ａ側のビーズ状部材６０は、流路３４の発光素子Ａ側の面に接触しており、また、受光素子Ｂ側のビーズ状部材６０は、流路３４の受光素子Ｂ側の面に接触している。ビーズ状部材６０は、例えば、石英、ガラス、ポリカーボネート等で構成してもよい。
【００６１】
また、発光素子Ａ側のビーズ状部材６０は流路３４の上流側から下流側に向けて４つ並んでおり、これらは互いに接触している。受光素子Ｂ側のビーズ状部材６０は流路３４の上流側から下流側に向けて５つ並んでおり、これらは互いに接触している。尚、ビーズ状部材６０の数は、これに限られるものではない。
【００６２】
ビーズ状部材６０、６０、…の隙間を透析廃液が流通するようになっている。流路３４における赤外線照射部Ｃに対応する部位の赤外線照射方向の断面寸法ｄ１は、流路３４にビーズ状部材６０が配置されていることにより、流通路１８ａ、１８ｂの内径ｄ２よりも小さくなっている。具体的には、流路３４における赤外線照射部Ｃに対応する部位の赤外線照射方向の断面寸法ｄ１が０．１ｍｍ以上２．０ｍｍ以下に設定されている。また、流路３４における幅方向両側は、本発明のバイパス部（図示せず）となる。
【００６３】
したがって、この実施形態４に係る成分測定用器具３０によれば、流路形成部３０にビーズ状部材６０を配置して、赤外線照射方向の断面寸法を流通管１８ａ、１８ｂの内径よりも短くしたので、透析廃液の主成分である水により赤外線が吸収される量を抑制でき、水以外の成分に関する吸光度を得ることができる。透析廃液の一部をバイパス部３４ｄ、３４ｄに流すことで、流路３４内において液体の滞りや、キャビテーションが起こりにくくなる。よって、透析廃液中の老廃物の濃度をリアルタイムに精度良く測定できる。
【００６４】
上記ビーズ状部材６０の形状は、球以外の形状であってもよい。
【００６５】
尚、上記成分測定用器具３０は、腹膜透析装置にも用いることができる。
【００６６】
また、透析液の供給側回路部１７に、上記成分測定用器具３０と同様な供給側成分測定用器具（図示せず）を設け、老廃物の濃度を得るようにしてもよい。このようにした場合には、供給側成分測定用器具で得た老廃物の濃度と、排出側回路部１８の成分測定用器具３０で得た老廃物の濃度とを比較してその差を把握することが可能になり、透析の状況を細かく分析することができる。
【００６７】
また、成分測定用器具３０により得た老廃物の濃度変化と、透析液の流速（ｍｌ／ｍｉｎ）とによって、透析時間中における老廃物の除去量を把握することも可能である。
【００６８】
また、特定の波長の赤外線のみを照射して１種類の老廃物の濃度を得るようにしてもよいし、複数の波長の赤外線を順に照射して複数種の老廃物の濃度を得るようにしてもよいし、赤外線の波長を変化させながら連続的に照射して透析廃液の吸収スペクトルを得て、これに基づいて複数種の老廃物の濃度を得るようにしてもよい。
【００６９】
また、例えば、２種類の老廃物の濃度を得る場合には、一方の老廃物の濃度に対する他方の老廃物の濃度変化（相対変化）を得るようにしてもよい。
【００７０】
また、上記実施形態１〜４では、成分測定用器具３０で透析廃液中の老廃物等の濃度を測定するようにしているが、成分測定用器具３０は、水を含む各種液体の成分の濃度を検出する場合に用いることができる。
【００７１】
また、流路形成部３０と流入管部３１との接続部分や、流路形成部３０と流出管部３２との接続部分に段差が形成されていてもよく、この場合、段差の高さは、断面寸法ｄ１よりも小さくするのが好ましい。
【産業上の利用可能性】
【００７２】
以上説明したように、本発明に係る成分測定用器具は、例えば、血液透析装置の透析廃液中の老廃物等の濃度を検出するのに適している。
【符号の説明】
【００７３】
１              血液透析装置
１８ａ、１８ｂ  流通管
３０            成分測定用器具
３１            流路形成部
３４            流路
３４ｄ          バイパス部
３５            凸部（寸法設定部）
５０            円柱部材（寸法設定部）
６０            ビーズ状部材（寸法設定部）
Ｃ              赤外線照射部
【図１】
2012237758.tif 000003
【図２】
2012237758.tif 000004
【図３】
2012237758.tif 000005
【図４】
2012237758.tif 000006
【図５】
2012237758.tif 000007
【図６】
2012237758.tif 000008
【図７】
2012237758.tif 000009
【図８】
2012237758.tif 000010
【図９】
2012237758.tif 000011
【図１０】
2012237758.tif 000012
【図１１】
2012237758.tif 000013
【図１２】
2012237758.tif 000014
【図１３】
2012237758.tif 000015
【図１４】
2012237758.tif 000016